(57)【要約】【課題】空きスペースの有効利用が可能であり、且つ部屋としての機能が十分に備えられ、且つ落ち着き感が与えられるユニットルーム、及び付加価値の高い宿泊施設を提供する。【解決手段】ユニットルーム本体２と、ユニットルーム本体２の内部に設けられるベッドモジュール３とを備えてユニットルーム１を構成する。具体的には、複数のパネル４と、間仕切りパネル５と、これら複数のパネル４及び間仕切りパネル５により区画形成される第一ユニットルーム空間６及び第二ユニットルーム空間７とを備えてユニットルーム１を構成する。その他、ユニットルーム１を移設可能に構成する。【選択図】    図２
2004316218.tif 000002
【特許請求の範囲】
【請求項１】
人が立ったり座ったり歩いたりすることが可能且つ人が出入り可能な第一空間と、主に横になるため専用の第二空間と、これら前記第一空間及び前記第二空間を連続した状態に配置形成するための複数のパネルと、を備えるとともに移設可能に構成した
ことを特徴とするユニットルーム。
【請求項２】
請求項１に記載のユニットルームにおいて、
前記第一空間と前記第二空間とによりこれらをＬ字状又は逆Ｌ字状の空間となるように形成した
ことを特徴とするユニットルーム。
【請求項３】
請求項１又は請求項２に記載のユニットルームにおいて、
前記複数のパネルの内、少なくとも前記第二空間を形成する前記パネルに遮音手段を設けた
ことを特徴とするユニットルーム。
【請求項４】
請求項３に記載のユニットルームにおいて、
前記遮音手段を有する前記パネルを、一対の板材と該一対の板材間に存するハニカムコア材とを有する第一及び第二のハニカムパネルと、該第一及び第二のハニカムパネル間に存するフレーム及び前記遮音手段とを備えて構成した
ことを特徴とするユニットルーム。
【請求項５】
請求項４に記載のユニットルームにおいて、
前記遮音手段を、前記第一又は第二のハニカムパネルのいずれか一方に密着する遮音板と、該遮音板及び前記いずれか一方に対するいずれか他方間に存する充填材とを備えて構成した
ことを特徴とするユニットルーム。
【請求項６】
請求項１ないし請求項５いずれか記載のユニットルームを複数備え、これらを組み合わせて一体化してなる
ことを特徴とするユニットルーム。
【請求項７】
人が立ったり座ったり歩いたりすることが可能且つ人が出入り可能な第一空間、及び主に横になるため専用の第二空間、を有するＬ字状の第一ユニットルーム空間と、前記第一空間及び前記第二空間を有する逆Ｌ字状の第二ユニットルーム空間と、これら前記第一ユニットルーム空間及び前記第二ユニットルーム空間を並んだ状態に配置形成するための複数のパネルと、前記第一ユニットルーム空間及び前記第二ユニットルーム空間を仕切る間仕切りパネルと、を備えるとともに移設可能に構成した
ことを特徴とするユニットルーム。
【請求項８】
請求項７に記載のユニットルームにおいて、
前記間仕切りパネルを、前記第二ユニットルーム空間の前記第二空間上側まで延在するように構成した
ことを特徴とするユニットルーム。
【請求項９】
請求項７又は請求項８に記載のユニットルームにおいて、
前記間仕切りパネルに遮音手段を設けた
ことを特徴とするユニットルーム。
【請求項１０】
請求項９に記載のユニットルームにおいて、
前記遮音手段を有する前記間仕切りパネルを、一対の板材と該一対の板材間に存するハニカムコア材とを有する第一及び第二のハニカムパネルと、該第一及び第二のハニカムパネル間に存するフレーム及び前記遮音手段とを備えて構成した
ことを特徴とするユニットルーム。
【請求項１１】
請求項１０に記載のユニットルームにおいて、
前記遮音手段を、前記第一又は第二のハニカムパネルのいずれか一方に密着する遮音板と、該遮音板及び前記いずれか一方に対するいずれか他方間に存する充填材とを備えて構成した
ことを特徴とするユニットルーム。
【請求項１２】
請求項１ないし請求項１１いずれか記載のユニットルームにおいて、
前記第二空間に寝具を配設した
ことを特徴とするユニットルーム。
【請求項１３】
請求項１ないし請求項１２いずれか記載のユニットルームにおいて、
前記第一空間に机又は鏡台を配設した
ことを特徴とするユニットルーム。
【請求項１４】
請求項１ないし請求項１３いずれか記載のユニットルームにおいて、
荷物置きや衣服掛けに利用可能な空間を確保するために、前記第一空間をその長手方向が前記第二空間の長手方向よりも長くなるように形成した
ことを特徴とするユニットルーム。
【請求項１５】
断面視略クランク形状の間仕切りパネルを有するとともに、該間仕切りパネルにより上下一対の寝室用となる第二空間を有し、さらには、各前記第二空間に連続して左右方向において対をなす居室用の第一空間を有し、且つ全体を移設可能に構成した
ことを特徴とするユニットルーム。
【請求項１６】
請求項１ないし請求項１５いずれか記載のユニットルームにおいて、
設置先の床を利用するために床無し構造とした
ことを特徴とするユニットルーム。
【請求項１７】
請求項１ないし請求項１５いずれか記載のユニットルームにおいて、
災害時の避難所に設置可能な構成とした
ことを特徴とするユニットルーム。
【請求項１８】
請求項１ないし請求項１５いずれか記載のユニットルームにおいて、
シーズン限定又は期間限定の仮設施設に設置可能な構成とした
ことを特徴とするユニットルーム。
【請求項１９】
請求項１ないし請求項１６いずれか記載のユニットルームを建物の室内に複数設置するとともに、前記ユニットルームへの通路を備えて構成した
ことを特徴とする宿泊施設。
【請求項２０】
請求項１９に記載の宿泊施設において、
前記ユニットルームの前記通路に面するパネルに、前記通路を歩く人への広告表示を行うためのコマーシャル手段を設けた
ことを特徴とする宿泊施設。
【発明の詳細な説明】
【０００１  】
【発明の属する技術分野】
本発明は、居室空間と寝室空間を有する移設可能なユニットルーム、及びそのユニットルームを複数設置してなる宿泊施設に関する。
【０００２  】
【従来の技術】
従来より、ビジネスホテル等の各種の宿泊施設、従業員等の仮眠施設、或いはサウナなどには、カプセルベッドがベッドルーム又は休息スペースとして多数設置されている。カプセルベッドは、ＦＲＰ製の横長中空形状のカプセルベッド本体を備えて構成されており（例えば特許文献１参照）、工場で大量生産することができるという利点を有している。また、カプセルベッドは、上記カプセルベッド本体を備えることによって、組み立てが容易になるという利点も有している。その他、カプセルベッドは、運搬が比較的容易であるとともに、施設内に特別な工事を施す必要もないという利点を有している。さらには、簡単に上下二段に重ねることができて多数の設置が容易であるという利点を有している。
【０００３  】
【特許文献１】
特開平５−２４８１０７号公報  （第３頁、第１図）
【０００４  】
【発明が解決しようとする課題】
最近、特に首都圏においては、高層ビルの建設ラッシュに沸いており、例えばオフィス用などの多くのスペースが過剰なほどに提供されている。また、新しいスペースへの移転に伴い既存のビルにおいては空きスペースが発生し、その空きスペースが年々増大の一途をたどっている。空きスペースは、ビルの一部に限らずその全体が空いてしまうような空きビルの場合もあり、今後、深刻な社会問題に発展する恐れがある。本願発明者は、このような空きスペースの増大に危惧しており、少しでも空きスペースの有効利用を図れればと宿泊施設等の展開を考えている。
【０００５  】
ところで、宿泊施設等への展開あたって上記従来のカプセルベッドを用いようとすると、次のような問題点があることを本願発明者は見いだしている。すなわち、上記従来のカプセルベッドでは、寝るため若しくは一時的な休息用としての利用価値はあるが、部屋としての十分な機能は有しておらず、また、狭くて落ち着きも得られないことから、このようなカプセルベッドを用いても付加価値のある宿泊施設等にはなり得ないという問題点を有している。
【０００６  】
本発明は、上述した事情に鑑みてなされるもので、空きスペースの有効利用が可能であり、且つ部屋としての機能が十分に備えられ、且つ落ち着き感が与えられるユニットルーム、及び付加価値の高い宿泊施設を提供することを課題とする。
【０００７  】
【課題を解決するための手段】
上記課題を解決するためなされた請求項１記載の本発明のユニットルームは、人が立ったり座ったり歩いたりすることが可能且つ人が出入り可能な第一空間と、主に横になるため専用の第二空間と、これら前記第一空間及び前記第二空間を連続した状態に配置形成するための複数のパネルと、を備えるとともに移設可能に構成したことを特徴としている。
【０００８  】
請求項２記載の本発明のユニットルームは、請求項１に記載のユニットルームにおいて、前記第一空間と前記第二空間とによりこれらをＬ字状又は逆Ｌ字状の空間となるように形成したことを特徴としている。
【０００９  】
請求項３記載の本発明のユニットルームは、請求項１又は請求項２に記載のユニットルームにおいて、前記複数のパネルの内、少なくとも前記第二空間を形成する前記パネルに遮音手段を設けたことを特徴としている。
【００１０  】
請求項４記載の本発明のユニットルームは、請求項３に記載のユニットルームにおいて、前記遮音手段を有する前記パネルを、一対の板材と該一対の板材間に存するハニカムコア材とを有する第一及び第二のハニカムパネルと、該第一及び第二のハニカムパネル間に存するフレーム及び前記遮音手段とを備えて構成したことを特徴としている。
【００１１  】
請求項５記載の本発明のユニットルームは、請求項４に記載のユニットルームにおいて、前記遮音手段を、前記第一又は第二のハニカムパネルのいずれか一方に密着する遮音板と、該遮音板及び前記いずれか一方に対するいずれか他方間に存する充填材とを備えて構成したことを特徴としている。
【００１２  】
請求項６記載の本発明のユニットルームは、請求項１ないし請求項５いずれか記載のユニットルームを複数備え、これらを組み合わせて一体化してなることを特徴としている。
【００１３  】
請求項７記載の本発明のユニットルームは、人が立ったり座ったり歩いたりすることが可能且つ人が出入り可能な第一空間、及び主に横になるため専用の第二空間、を有するＬ字状の第一ユニットルーム空間と、前記第一空間及び前記第二空間を有する逆Ｌ字状の第二ユニットルーム空間と、これら前記第一ユニットルーム空間及び前記第二ユニットルーム空間を並んだ状態に配置形成するための複数のパネルと、前記第一ユニットルーム空間及び前記第二ユニットルーム空間を仕切る間仕切りパネルと、を備えるとともに移設可能に構成したことを特徴としている。
【００１４  】
請求項８記載の本発明のユニットルームは、請求項７に記載のユニットルームにおいて、前記間仕切りパネルを、前記第二ユニットルーム空間の前記第二空間上側まで延在するように構成したことを特徴としている。
【００１５  】
請求項９記載の本発明のユニットルームは、請求項７又は請求項８に記載のユニットルームにおいて、前記間仕切りパネルに遮音手段を設けたことを特徴としている。
【００１６  】
請求項１０記載の本発明のユニットルームは、請求項９に記載のユニットルームにおいて、前記遮音手段を有する前記間仕切りパネルを、一対の板材と該一対の板材間に存するハニカムコア材とを有する第一及び第二のハニカムパネルと、該第一及び第二のハニカムパネル間に存するフレーム及び前記遮音手段とを備えて構成したことを特徴としている。
【００１７  】
請求項１１記載の本発明のユニットルームは、請求項１０に記載のユニットルームにおいて、前記遮音手段を、前記第一又は第二のハニカムパネルのいずれか一方に密着する遮音板と、該遮音板及び前記いずれか一方に対するいずれか他方間に存する充填材とを備えて構成したことを特徴としている。
【００１８  】
請求項１２記載の本発明のユニットルームは、請求項１ないし請求項１１いずれか記載のユニットルームにおいて、前記第二空間に寝具を配設したことを特徴としている。
【００１９  】
請求項１３記載の本発明のユニットルームは、請求項１ないし請求項１２いずれか記載のユニットルームにおいて、前記第一空間に机又は鏡台を配設したことを特徴としている。
【００２０  】
請求項１４記載の本発明のユニットルームは、請求項１ないし請求項１３いずれか記載のユニットルームにおいて、荷物置きや衣服掛けに利用可能な空間を確保するために、前記第一空間をその長手方向が前記第二空間の長手方向よりも長くなるように形成したことを特徴としている。
【００２１  】
請求項１５記載の本発明のユニットルームは、断面視略クランク形状の間仕切りパネルを有するとともに、該間仕切りパネルにより上下一対の寝室用となる第二空間を有し、さらには、各前記第二空間に連続して左右方向において対をなす居室用の第一空間を有し、且つ全体を移設可能に構成したことを特徴としている。
【００２２  】
請求項１６記載の本発明のユニットルームは、請求項１ないし請求項１５いずれか記載のユニットルームにおいて、設置先の床を利用するために床無し構造としたことを特徴としている。
【００２３  】
請求項１７記載の本発明のユニットルームは、請求項１ないし請求項１５いずれか記載のユニットルームにおいて、災害時の避難所に設置可能な構成としたことを特徴としている。
【００２４  】
請求項１８記載の本発明のユニットルームは、請求項１ないし請求項１５いずれか記載のユニットルームにおいて、シーズン限定又は期間限定の仮設施設に設置可能な構成としたことを特徴としている。
【００２５  】
上記課題を解決するためなされた請求項１９記載の本発明の宿泊施設は、請求項１ないし請求項１６いずれか記載のユニットルームを建物の室内に複数設置するとともに、前記ユニットルームへの通路を備えて構成したことを特徴としている。
【００２６  】
請求項２０記載の本発明の宿泊施設は、請求項１９に記載の宿泊施設において、前記ユニットルームの前記通路に面するパネルに、前記通路を歩く人への広告表示を行うためのコマーシャル手段を設けたことを特徴としている。
【００２７  】
請求項１に記載された本発明によれば、第一空間において人が立ったり座ったり歩いたりすることが行える。また、第一空間を介して人の出入りが行える。一方、第二空間においては、人が主に横になること、言い換えれば寝たり休息したりすることが行える。第二空間は、第一空間に連続した状態に配置形成されることから、このような第一空間及び第二空間を有するユニットルームは、部屋としての機能を十分に備えるとともに、落ち着き感を与えることが可能なものになる。また、ユニットルームは、移設可能であることから、空きスペースの有効利用が可能なものになる。
【００２８  】
請求項２に記載された本発明によれば、ユニットルームの連続する第一空間及び第二空間がＬ字状又は逆Ｌ字状の空間に形成される。これにより、複数のユニットルームを必要とする場合に、Ｌ字状の空間に形成したユニットルームと逆Ｌ字状の空間に形成したユニットルームとをその空間同士が重なるように組み合わせれば、コンパクトな一対のユニットルームの提供が可能になる。
【００２９  】
請求項３に記載された本発明によれば、パネルに遮音手段が設けられる。その遮音手段は、寝たり休息したりするための第二空間を形成するパネルが先ず対象になる。遮音手段は、ユニットルーム同士が隣り合うように設置された場合に有用になり、必要に応じて第一空間を形成するパネルにも設けられるものとする。
【００３０  】
請求項４に記載された本発明によれば、第一及び第二のハニカムパネルと、これらの間に存するフレーム及び前記遮音手段と、を備えて遮音手段を有するパネルが構成される。尚、パネルは、軽量でありながら十分な強度を有する構成になるものとする。
【００３１  】
請求項５に記載された本発明によれば、遮音板と充填材とを備えて遮音手段が構成される。遮音板は、パネルを構成する第一又は第二のハニカムパネルのいずれか一方に密着し、充填材は、その遮音板及び第一又は第二のハニカムパネルのいずれか他方間に存する。
【００３２  】
請求項６に記載された本発明によれば、単独のみならず、複数のユニットルームを組み合わせて一体化したものもユニットルームとして定義される。これにより、ユニットルームのバリエーションが広がり、空きスペースの有効利用を検討する際の選択肢が増えることになる。
【００３３  】
請求項７に記載された本発明によれば、間仕切りパネルにより仕切られて形成された第一ユニットルーム空間及び第二ユニットルーム空間を有するユニットルームになる。そのユニットルームは、第一ユニットルーム空間と第二ユニットルーム空間とが並んだ状態に配置形成されたものであり、上記二つの空間のそれぞれの第一空間においては、人が立ったり座ったり歩いたりすることが行える。また、第一空間を介して人の出入りが行える。一方、第二空間においては、人が主に横になること、言い換えれば寝たり休息したりすることが行える。第二空間は、第一空間に連続した状態に配置形成されることから、このような第一空間及び第二空間を有する第一ユニットルーム空間及び第二ユニットルーム空間は、部屋としての機能を十分に備えるとともに、落ち着き感を与えることが可能なものになる。ユニットルームは、移設可能であることから、空きスペースの有効利用が可能なものになる。
【００３４  】
請求項８に記載された本発明によれば、間仕切りパネルが第二ユニットルーム空間の第二空間上側まで延在する。これにより、第一ユニットルーム空間に対する遮音性能が一層向上するようになる。
【００３５  】
請求項９に記載された本発明によれば、間仕切りパネルに遮音手段が設けられる。間仕切りパネルは、第一ユニットルーム空間及び第二ユニットルーム空間を仕切るパネルであることから、二つの空間に対する遮音性能が一層向上するようになる。
【００３６  】
請求項１０に記載された本発明によれば、第一及び第二のハニカムパネルと、これらの間に存するフレーム及び前記遮音手段とを備えて、遮音手段を有する間仕切りパネルが構成される。尚、間仕切りパネルは、軽量でありながら十分な強度を有するものとする。
【００３７  】
請求項１１に記載された本発明によれば、遮音板と充填材とを備えて遮音手段が構成される。遮音板は、間仕切りパネルを構成する第一又は第二のハニカムパネルのいずれか一方に密着し、充填材は、その遮音板及び第一又は第二のハニカムパネルのいずれか他方間に存する。遮音手段の具体的な一例になる。
【００３８  】
請求項１２に記載された本発明によれば、寝具が配設された第二空間になる。また、請求項１３に記載された本発明によれば、机又は鏡台が配設された第一空間になる。これにより、部屋としての機能の向上が一層図られる。尚、机又は鏡台には椅子がセットになっているものとする。一方、請求項１４に記載された本発明によれば、第一空間に荷物置きや衣服掛けに利用可能な空間が確保される。これにより、部屋としての機能の向上がより一層図られる。
【００３９  】
請求項１５に記載された本発明によれば、間仕切りパネルと、上下一対の寝室用となる第二空間と、左右方向において対をなす居室用の第一空間とを有するユニットルームになる。間仕切りパネルは、断面視略クランク形状に形成されるパネルであり、このような間仕切りパネルによって、上下一対の寝室用となる第二空間が形成される。一方、第一空間は、各第二空間に連続するように形成される。ユニットルームは、部屋としての機能を十分に備えるとともに、落ち着き感を与えることが可能なものになる。ユニットルームは、移設可能であることから、空きスペースの有効利用が可能なものになる。
【００４０  】
請求項１６に記載された本発明によれば、設置先の床を利用するために床無し構造のユニットルームになる。設置先の床をユニットルームの床として利用することは、設置先の床の平面度による影響が少なくなり、ユニットルームの設置を容易にすることが可能になる。また、製造コストを低減してユニットルームをより安価に提供することが可能になる。
【００４１  】
請求項１７に記載された本発明によれば、災害時の避難所に設置可能な構成を有するユニットルームになる。また、請求項１８に記載された本発明によれば、シーズン限定又は期間限定の仮設施設に設置可能な構成を有するユニットルームになる。これにより、ユニットルームの設置に関してバリエーションを持たせることが可能になる。
【００４２  】
請求項１９に記載された本発明によれば、建物の室内に複数のユニットルームが設置されるとともに、各ユニットルームへの通路が備えられて宿泊施設が構成される。このような宿泊施設により、空きスペースが有効に利用される。また、上記ユニットルームを複数備えることから、付加価値の高い宿泊施設になる。
【００４３  】
請求項２０に記載された本発明によれば、ユニットルームにコマーシャル手段が設けられる。これにより、通路を歩く人への広告表示を行うことが可能になり、より一層、付加価値の高い宿泊施設になる。
【００４４  】
【発明の実施の形態】
以下、図面を参照して本発明の実施の形態を説明する。
図１は本発明のユニットルームの一実施の形態を示す正面図である。また、図２はユニットルームの断面図、図３はユニットルームの内部状態を示す斜視図、図４はベッドモジュールを示す斜視図、図５はユニットルーム本体（壁部分）の構成説明図、図６はユニットルーム本体（天井部分）の構成説明図、図７はパネルの構成説明図、図８はパネルの組み合わせに係る説明図、図９はベッドモジュール（ベッドモジュール本体部分）の構成説明図、図１０は間仕切りパネルの構成説明図、図１１は間仕切りパネルを構成するフレームの斜視図、図１２は間仕切りパネル（ベッド上及びベッド下用のパネル）の斜視図、図１３は間仕切りパネル（フレーム部分のパネル）の斜視図である。
【００４５  】
図１ないし図４において、引用符号１は本発明のユニットルームを示している。そのユニットルーム１は、ユニットルーム本体２と、ユニットルーム本体２の内部に設けられるベッドモジュール３とを備えて構成されている。また、構成部材の見方を変えて説明すると、本発明のユニットルーム１は、複数のパネル４と、間仕切りパネル５と、これら複数のパネル４及び間仕切りパネル５により区画形成される第一ユニットルーム空間６及び第二ユニットルーム空間７とを備えて構成されている。
【００４６  】
本発明のユニットルーム１は、コンパクトなものであって、所望の設置スペースに設置することができるようにその全体が移設自在に構成されている。また、本発明のユニットルーム１は、空きスペースの有効利用を図ることが可能であり、且つ部屋としての機能を十分に備え、且つ落ち着き感を与えられるものとして構成されている。以下、上記各構成部材について詳細に説明する。
【００４７  】
図１ないし図１３において、上記ユニットルーム本体２は、複数のパネル４と、ユニットルーム本体２の四隅に設けられるコーナー型材８と、後述する付属品とを備えて構成されている。また、ベッドモジュール３は、ベッドと間仕切りとを兼用する間仕切りパネル５と、間仕切りパネル５に設けられる寝具９及び後述する付属品とを備えて構成されている。
【００４８  】
複数のパネル４は、ユニットルーム１の壁部分及び天井部分を構成するものであって、本形態においてはハニカムパネル（これに限定するものではない）がパネル４として用いられている。パネル４は、軽量且つ十分な強度を有している。
【００４９  】
複数のパネル４の種類としては、フロントパネル用のパネル４ａ〜４ｄと、バックパネル用のパネル４ｅ〜４ｈと、サイドパネルＬ用のパネル４ｉ〜４ｌと、サイドパネルＲ用のパネル４ｍ〜４ｐと、天井パネル用のパネル４ｑ〜４ｔとが挙げられる。フロントパネル用のパネル４ａ及び４ｂには、ドア１０、１０が設けられている。
【００５０  】
尚、ユニットルーム本体２は、本形態において、設置先の床１１を利用するために床無し構造となっている。すなわち、床パネル用のパネルは設定されてないものとする（床無し構造に限定するものではない）。
【００５１  】
各パネル４ａ〜４ｔは、表面板となる一対の板材１２、１２と、その一対の板材１２、１２間に存するハニカムコア材１３とを備えて構成されている。また、このような構成の各パネル４ａ〜４ｔは、難燃性を有するように形成されている。板材１２、１２とハニカムコア材１３は、接着剤により固定されている。
【００５２  】
各パネル４ａ〜４ｔのうち、パネル４ａ、４ｂ、４ｅ、４ｆ、４ｉ、４ｌ、４ｍ、及び４ｐの周囲には、パネル枠材１４と、コーナー型材８に対して嵌合するチャンネル材１５と、パネル連結用のチャンネル材１６とが設けられている。具体的な配置について説明すると、パネル両側部には、パネル枠材１４が突出しないように設けられている。これに対してパネル上部には、パネル枠材１４が突出するように設けられている。チャンネル材１５、１６は、パネル両側部のパネル枠材１４にそれぞれネジ止めにより固定されている。尚、チャンネル材１６には、隣り合うパネル４のパネル枠材１４が差し込まれるようになっている。
【００５３  】
各パネル４ａ〜４ｔのうち、パネル４ｃ、４ｇ、４ｊ、及び４ｎの周囲には、パネル枠材１４と、パネル連結用のチャンネル材１６とが設けられている。具体的な配置について説明すると、パネル両側部の一方には、パネル枠材１４が突出しないように設けられている。これに対してパネル両側部の他方及びパネル上部には、パネル枠材１４が突出するように設けられている。チャンネル材１６は、上記一方側のパネル枠材１４にネジ止めにより固定されている。
【００５４  】
各パネル４ａ〜４ｔのうち、パネル４ｄ、４ｈ、４ｋ、及び４ｏの周囲には、パネル枠材１４が設けられている。具体的な配置について説明すると、パネル両側部及びパネル上部には、パネル枠材１４が突出するように設けられている。
【００５５  】
各パネル４ａ〜４ｔのうち、パネル４ｑ及び４ｔの周囲には、パネル枠材１４と、パネル連結用のチャンネル材１６とが設けられている。具体的な配置について説明すると、パネル４ｑ及び４ｔの周囲には、パネル枠材１４が突出しないように設けられている。チャンネル材１６は、パネル４ｑの場合、パネル４ｒ側のパネル枠材１４にネジ止めにより固定されている。また、チャンネル材１６は、パネル４ｔの場合、パネル４ｓ側のパネル枠材１４にネジ止めにより固定されている。
【００５６  】
各パネル４ａ〜４ｔのうち、パネル４ｒの周囲には、パネル枠材１４と、パネル連結用のチャンネル材１６とが設けられている。パネル枠材１４は、パネル４ｑ側のみ突出するように設けられている。チャンネル材１６は、パネル４ｓ側のパネル枠材１４にネジ止めにより固定されている。
【００５７  】
各パネル４ａ〜４ｔのうち、パネル４ｓの周囲には、パネル枠材１４が設けられている。パネル枠材１４は、パネル４ｒ及びパネル４ｔ側に突出するように設けられている。
【００５８  】
ここで、各パネル４ａ〜４ｐの組み付けについて説明すると、次のような連結によって各パネル４ａ〜４ｐが組み付けられている。すなわち、図示のパネル構成及びパネル配置からも分かるように、フロントパネル側では、パネル４ａのチャンネル材１５とコーナー型材８の端部とが連結されている。また、パネル４ａのチャンネル材１６とパネル４ｃの側部のパネル枠材１４とが連結されている。また、パネル４ｃのチャンネル材１６とパネル４ｄの一方側部のパネル枠材１４とが連結されている。また、パネル４ｄの他方側部のパネル枠材１４とパネル４ｂのチャンネル材１６とが連結されている。また、パネル４ｂのチャンネル材１５とコーナー型材８の端部とが連結されている。
【００５９  】
バックパネル側では、パネル４ｅのチャンネル材１５とコーナー型材８の端部とが連結されている。また、パネル４ｅのチャンネル材１６とパネル４ｇの側部のパネル枠材１４とが連結されている。また、パネル４ｇのチャンネル材１６とパネル４ｈの一方側部のパネル枠材１４とが連結されている。また、パネル４ｈの他方側部のパネル枠材１４とパネル４ｆのチャンネル材１６とが連結されている。また、パネル４ｆのチャンネル材１５とコーナー型材８の端部とが連結されている。
【００６０  】
サイドパネルＬ側では、パネル４ｉのチャンネル材１５とコーナー型材８の端部とが連結されている。また、パネル４ｉのチャンネル材１６とパネル４ｊの側部のパネル枠材１４とが連結されている。また、パネル４ｊのチャンネル材１６とパネル４ｋの一方側部のパネル枠材１４とが連結されている。また、パネル４ｋの他方側部のパネル枠材１４とパネル４ｌのチャンネル材１６とが連結されている。また、パネル４ｌのチャンネル材１５とコーナー型材８の端部とが連結されている。
【００６１  】
サイドパネルＲ側では、パネル４ｍのチャンネル材１５とコーナー型材８の端部とが連結されている。また、パネル４ｍのチャンネル材１６とパネル４ｎの側部のパネル枠材１４とが連結されている。また、パネル４ｎのチャンネル材１６とパネル４ｏの一方側部のパネル枠材１４とが連結されている。また、パネル４ｏの他方側部のパネル枠材１４とパネル４ｐのチャンネル材１６とが連結されている。また、パネル４ｐのチャンネル材１５とコーナー型材８の端部とが連結されている。
【００６２  】
各パネル４ａ〜４ｐにおける各パネル上部のパネル枠材１４には、四つの型材１７がネジ止めにより固定されている。その四つの型材１７は、各パネル４ａ〜４ｐを連結するために設けられている。また、四つの型材１７は、天井パネル用のパネル４ｑ〜４ｔの固定部としても設けられている（パネル４ｑ〜４ｔが後述する連結状態のままで四つの型材１７に例えばネジ止め固定される）。
【００６３  】
天井パネル用のパネル４ｑ〜４ｔは、次のように組み付けられている。すなわち、図示のパネル構成及びパネル配置からも分かるように、パネル４ｑのチャンネル材１６とパネル４ｒのパネル枠材１４とが連結されている。また、パネル４ｒのチャンネル材１６とパネル４ｓの一方のパネル枠材１４とが連結されている。また、パネル４ｓの他方のパネル枠材１４とパネル４ｔのチャンネル材１６とが連結されている。
【００６４  】
ユニットルーム本体２における上記付属品について説明すると、パネル４ｅ及び４ｆには、机（又は鏡台）１８やスイッチプレート（コンセントを含む）１９やブラケット２０が取り付けられている。また、パネル４ｇ及び４ｈには、ナイトランプ２１やスイッチプレート２２が取り付けられている。引用符号１８ａは机１８に付随する椅子を示している。尚、必要に応じて壁掛けタイプの薄型テレビや音響設備等を取り付けてもよいものとする。
【００６５  】
上記パネル構成において、パネル４ｑ〜４ｔがパネル４ａ〜４ｐに固定されると、床無し箱形状のユニットルーム本体２の組み立てが完了する。
【００６６  】
本形態において、各パネル４ａ〜４ｔの厚みは、４０ｍｍとなるように形成されている。また、ユニットルーム１の高さは、天井パネル用のパネル４ｑ〜４ｔを除いた状態で２４００ｍｍとなるように形成されている。また、ユニットルーム１の幅は、３２６５ｍｍとなるように形成されている。また、ユニットルーム１の奥行きは、２９６０ｍｍとなるように形成されている。
【００６７  】
上記間仕切りパネル５は、一対の板材及びその一対の板材間に存するハニカムコア材を有する複数の第一のハニカムパネル２３と、同じく一対の板材及びその一対の板材間に存するハニカムコア材を有する複数の第二のハニカムパネル２４と、第一及び第二のハニカムパネル２３、２４間に存するフレーム２５及び遮音手段２６とを備えて構成されている。尚、本形態の間仕切りパネル５は、荷物置きや衣服掛けに利用可能なバゲージ空間を確保するための部分も含まれて構成されている（これに限定するものではない）。
【００６８  】
第一のハニカムパネル２３は、第二のハニカムパネル２４よりも厚く形成されている。本形態において、第一のハニカムパネル２３は４０ｍｍ、第二のハニカムパネル２４は１５ｍｍの厚さに形成されている。第一のハニカムパネル２３及び第二のハニカムパネル２４の構成に関しては、上記パネル４ａ〜４ｔの構成と同じであるものとする。また、難燃性を有しているものとする。
【００６９  】
一方、複数の第一のハニカムパネル２３の種類としては、垂直分断−上側壁パネル用の第一のハニカムパネル２３ａ、２３ａ、及び２３ｂと、垂直分断−下側壁パネル用の第一のハニカムパネル２３ｃ〜２３ｅと、フロント側固定パネル用の第一のハニカムパネル２３ｆと、第一のハニカムパネル２３ａ及び２３ｂの下側のフレームに取り付けられる第一のハニカムパネル２３ｇ及び２３ｈと、上記バゲージ空間形成用の第一のハニカムパネル２３ｉ〜２３ｋと、水平分断−上側ベッドパネル用の第一のハニカムパネル２３ｌとが挙げられる。
【００７０  】
複数の第二のハニカムパネル２４の種類としては、バック側固定パネル用の第二のハニカムパネル２４ａ、２４ｂ、及び２４ｇと、垂直分断−上側壁パネル用の第二のハニカムパネル２４ｃ〜２４ｅと、フロント側固定パネル用の第二のハニカムパネル２４ｆと、垂直分断−下側壁パネル用の第二のハニカムパネル２４ｈ、２４ｈ、及び２４ｉと、フロント側固定パネル用の第二のハニカムパネル２４ｊと、上記バゲージ空間形成用の第二のハニカムパネル２４ｋ〜２４ｍと、水平分断−下側ベッドパネル用の第二のハニカムパネル２４ｎとが挙げられる。
【００７１  】
フレーム２５は、長短様々な複数の角筒２５ａを図１１のように組み合わせて形成されている。また、フレーム２５は、垂直分断−上側壁パネル用の部分２５ｂ、水平分断−ベッドパネル用の部分２５ｃ、及び、垂直分断−下側壁パネル用の部分２５ｄが断面視クランク形状となるように組み立てられている。このようなフレーム２５には、複数の第一のハニカムパネル２３及び第二のハニカムパネル２４がネジ止めにより固定されている。尚、図１１のフレーム２５の上部に角筒２５ａを更に追加して、図２のような天井パネルに沿う部分を有する間仕切りパネルを形成してもよいものとする（遮音効果が高まることになる）。
【００７２  】
遮音手段２６は、第一のハニカムパネル２３に密着する遮音板２６ａと、その遮音板２６ａ及び第二のハニカムパネル２４間に存する充填材２６ｂとを備えて構成されている（遮音板２６ａが第二のハニカムパネル２４に密着し、遮音板２６ａ及び第一のハニカムパネル２３間に充填材２６ｂが存する構成であってもよいものとする）。遮音手段２６は、間仕切りパネル５の両側において人が静か又は極めて静かと感じるような特性（例えば４０ｄＢ以下）を得るために設けられている。
【００７３  】
尚、遮音板２６ａとしては、三井金属エンジニアリング社製のオンシャット複合板、大阪化工社製のホーンシート、東邦亜鉛社製の遮音シート又は遮音材などが一例に挙げられる。また、充填材２６ｂとしてはグラスウールや石膏ボードなどが一例に挙げられる（充填材２６ｂを用いずに真空状態にしてもよいものとする）。
【００７４  】
本形態の遮音板２６ａは、板状であって５ｍｍの厚さに形成されている。また、充填材２６ｂの充填スペースは、角筒２５ａのサイズ分だけ確保されている。すなわち、８０ｍｍ確保されている。
【００７５  】
ベッドモジュール３における上記付属品について説明すると、間仕切りパネル５には、ヘッドボード２７やベッドホルダー２８が取り付けられている。また、間仕切りパネル５の一方側（第一ユニットルーム空間６側）には、手すり２９や階段３０が取り付けられている。引用符号３１は上記バゲージ空間に存するコートハンガーフックを示している。また、引用符号３２は同じく上記バゲージ空間に存するバゲージラックを示している。
【００７６  】
上記第一ユニットルーム空間６は、パネル４ｂ、４ｄ、４ｆ、４ｈ、４ｍ〜４ｐ、４ｓ、及び４ｔと、間仕切りパネル５とにより区画形成される空間であって、第一空間３３とその第一空間３３に連続する第二空間３４とを有している。また、第一ユニットルーム空間６は、これら第一空間３３及び第二空間３４の連続によりＬ字状の空間となるように形成されている（図２参照）。第一ユニットルーム空間６には、上記付属品が存するようになっている。
【００７７  】
第一空間３３は、人が立ったり座ったり歩いたりすることが可能、且つパネル４ｂのドア１０を介して人が出入り可能な空間となるように形成されている。このような第一空間３３には、バゲージ空間（後述のバゲージ空間３５ａと同じ）が形成されている。第二空間３４は、主に人が横になるための専用の空間となるように形成されている。すなわち、第二空間３４は、ベッドモジュール３における下側のベッドスペースとして形成されている。
【００７８  】
上記第二ユニットルーム空間７は、パネル４ａ、４ｃ、４ｅ、４ｇ、４ｉ〜４ｌ、４ｑ、及び４ｒと、間仕切りパネル５とにより区画形成される空間であって、第一空間３５とその第一空間３５に連続する第二空間３６とを有している。また、第二ユニットルーム空間７は、これら第一空間３５及び第二空間３６の連続により逆Ｌ字状の空間となるように形成されている（図２参照。第一ユニットルーム空間６を逆Ｌ字状の空間、第二ユニットルーム空間７をＬ字状の空間にしてもよいものとする）。第二ユニットルーム空間７には、上記付属品が存するようになっている。
【００７９  】
第一空間３５は、第一ユニットルーム空間６の第一空間３３と同様であって、人が立ったり座ったり歩いたりすることが可能、且つパネル４ａのドア１０を介して人が出入り可能な空間となるように形成されている。このような第一空間３３には、バゲージ空間３５ａが形成されている。第二空間３６は、第一ユニットルーム空間６の第二空間３４と同様であって、主に人が横になるための専用の空間となるように形成されている。すなわち、第二空間３６は、ベッドモジュール３における上側のベッドスペースとして形成されている。
【００８０  】
その他、ユニットルーム１の細部について説明すると、ドア１０、１０間の外壁部分には、突出部３７が形成されている（図１参照。あえて突出させなくてもよいものとする）。その突出部３７には、ユニットルーム１の前を通りかかる人に対して広告表示を行うことが可能なコマーシャル手段（不図示）が任意に設けられている。ここで、コマーシャル手段の一例を挙げると、例えば液晶ディスプレイ表示器や掲示板やポスターなどが挙げられるものとする。コマーシャル手段は、本発明に係る後述の宿泊施設において有用なものになっている。
【００８１  】
以上、図１ないし図１３を参照しながら説明してきたように、本発明のユニットルーム１は、第一空間３３、３５を有することから、人が立ったり座ったり歩いたり出入りしたりすることができる。また、第二空間３４、３６を有することから、人が主に横になること、言い換えれば寝たり休息したりすることができる。第二空間３４、３６は、第一空間３３、３５に連続した状態に配置形成されていることから、このような第一空間３３、３５及び第二空間３４、３６を有する第一ユニットルーム空間６及び第二ユニットルーム空間７は、部屋としての機能を十分に備えるとともに、落ち着き感を与えることができる。その他、本発明のユニットルーム１は、移設可能であることから、空きスペースに対しての有効利用を図ることができる。
【００８２  】
次に、図１４を参照しながら本発明による宿泊施設の一実施の形態を説明する。図１４は宿泊施設の一実施の形態を示す模式的な説明図である。
【００８３  】
図１４において、引用符号４１は本発明の宿泊施設を示している。その宿泊施設４１は、本発明のユニットルーム１を複数、建物の室内４２に設置して構成されている。具体的には、複数のユニットルーム１を室内４２において一列や二列に並べて設置することにより構成されている。各ユニットルーム１の前には、通路４３が設けられており、共用サロン４４やトイレ４５や大浴場（若しくはシャワールーム）４６に行き来することができるようになっている。
【００８４  】
ここで、室内４２の一例を挙げると、例えばオフィスビルやホテル等の各種ビルの空きスペース（フロアの一部又は全部）若しくはビルの各階全フロア、工場の空きスペース、高架線下の建物を含む各種建物の室内、或いはサウナの空きスペースなどが挙げられるものとする。
【００８５  】
本発明の宿泊施設４１は、本発明のユニットルーム１を複数有していることから、従来のようなカプセルベッドを複数設置してなる施設と比べて、付加価値を高めることができる。
【００８６  】
尚、宿泊施設４１は、宿泊業を営むための他に、従業員等の仮眠施設としても利用可能であるものとする。また、以下の図１５ないし図１９で説明するような利用も可能であるものとする。
【００８７  】
図１５は本発明のユニットルーム１を複数設置してなるものの例（第一利用例）を示した模式的な説明図である。図１５において、室内５１には、本発明のユニットルーム１が複数設置されている。また、室内５１には、通路５２やトイレ５３や大浴場（若しくはシャワールーム）５４が設けられている。室内５１は、仕切５５により仕切られており、男女別の玄関５６、５６が設けられている。本形態においては、アパート又は独身寮として利用可能な例を示している。
【００８８  】
図１６は本発明のユニットルーム１を複数設置してなるものの例（第二利用例）を示した模式的な説明図である。図１６において、体育館の室内６１には、本発明のユニットルーム１が複数設置されている。本形態においては、非常災害時に利用可能な例を示している。
【００８９  】
図１７は本発明のユニットルーム１を複数設置してなるものの例（第三利用例）を示した模式的な説明図である。図１６において、屋外の例えばテント６２の下には、本発明のユニットルーム１が複数設置されている。本形態においては、非常災害時に利用可能な例を示している。
【００９０  】
図１８は本発明のユニットルーム１を複数設置してなるものの例（第四利用例）を示した模式的な説明図である。図１８において、仮設施設６３内には、本発明のユニットルーム１が複数設置されている。本形態においては、シーズン限定又は期間限定の仮設施設６３と共に利用可能な例を示している。尚、シーズン終了後にはユニットルーム１及び仮設施設６３を撤去すればよいものとする。
【００９１  】
図１９は本発明のユニットルーム１を複数設置してなるものの例（第五利用例）を示した模式的な説明図である。図１９において、住宅６４の隣りには、本発明のユニットルーム１が設置されている。本形態においては、増築の代わりになるような例を示している。
【００９２  】
続いて、図２０及び図２１を参照しながらユニットルームの他の例を説明する。図２０及び図２１はユニットルームの他の例を示す模式的な説明図である。図２０において、引用符号１′で示されるユニットルームは、上述のユニットルーム１と同じ構成を有しており、上述のユニットルーム１に対して床パネル７１と大型の給排気部７２とを付加した点が異なっている。
【００９３  】
図２１において、引用符号１″で示されるユニットルームは、上述のユニットルーム１と同じ構成を有しており、上述のユニットルーム１に対してコロ７３付きの床パネル７４と、大型の給排気部７５と、窓７６と、ソーラーパネル７７（ユニットルーム１″を屋外に設置する場合のみ）を付加した点が異なっている。
【００９４  】
続いて更に、図２２を参照しながらユニットルームの更に他の例を説明する。図２２はユニットルームの更に他の例を示す模式的な説明図である。図２２において、引用符号８１で示されるユニットルームは、Ｌ字状のユニットルーム８２と、逆Ｌ字状のユニットルーム８３とを備えて構成されている。また、ユニットルーム８１は、Ｌ字状のユニットルーム８２と逆Ｌ字状のユニットルーム８３とを図示のように組み合わせて一体化することによりなっている。
【００９５  】
Ｌ字状のユニットルーム８２は、人が立ったり座ったり歩いたりすることが可能且つ人が出入り可能な第一空間と、主に横になるため専用の第二空間と、これら第一空間及び第二空間を連続した状態に配置形成するための複数のパネルと、を備えるとともに移設可能に構成されている。すなわち、上述の第一ユニットルーム空間６を有するように構成されている。
【００９６  】
逆Ｌ字状のユニットルーム８３は、人が立ったり座ったり歩いたりすることが可能且つ人が出入り可能な第一空間と、主に横になるため専用の第二空間と、これら第一空間及び第二空間を連続した状態に配置形成するための複数のパネルと、を備えるとともに移設可能に構成されている。すなわち、上述の第二ユニットルーム空間７を有するように構成されている。
【００９７  】
尚、上述のユニットルーム８１のように一体化せずに、Ｌ字状のユニットルーム８２や逆Ｌ字状のユニットルーム８３の単独使用も可能であるものとする。
【００９８  】
その他、本発明は本発明の主旨を変えない範囲で種々変更実施可能なことは勿論である。
【００９９  】
【発明の効果】
以上説明したように、本発明によれば、空きスペースの有効利用が可能であり、且つ部屋としての機能が十分に備えられ、且つ落ち着き感が与えられるユニットルームを提供することができるという効果を奏する。また、付加価値の高い宿泊施設を提供することができるという効果を奏する。
【図面の簡単な説明】
【図１】本発明によるユニットルームの一実施の形態を示す正面図である。
【図２】ユニットルームの断面図である。
【図３】ユニットルームの内部状態を示す斜視図である。
【図４】ベッドモジュールを示す斜視図である。
【図５】ユニットルーム本体（壁部分）の構成説明図である。
【図６】ユニットルーム本体（天井部分）の構成説明図である。
【図７】パネルの構成説明図である。
【図８】パネルの組み合わせに係る説明図である。
【図９】ベッドモジュール（ベッドモジュール本体部分）の構成説明図である。
【図１０】間仕切りパネルの構成説明図である。
【図１１】間仕切りパネルを構成するフレームの斜視図である。
【図１２】間仕切りパネル（ベッド上及びベッド下用のパネル）の斜視図である。
【図１３】間仕切りパネル（フレーム部分のパネル）の斜視図である。
【図１４】本発明による宿泊施設の一実施の形態を示す模式的な説明図である。
【図１５】ユニットルームを複数設置してなる利用例（アパート又は独身寮パターン）の模式的な説明図である。
【図１６】ユニットルームを複数設置してなる利用例（非常災害時：屋内パターン）の模式的な説明図である。
【図１７】ユニットルームを複数設置してなる利用例（非常災害時：屋外パターン）の模式的な説明図である。
【図１８】ユニットルームを複数設置してなる利用例（期間限定パターン）の模式的な説明図である。
【図１９】ユニットルームを設置してなる利用例（増築パターン）の模式的な説明図である。
【図２０】ユニットルームの他の例を示す模式的な説明図である。
【図２１】ユニットルームの更に他の例を示す模式的な説明図である。
【図２２】ユニットルームの更に他の例を示す模式的な説明図である。
【符号の説明】
１、１′、１″  ユニットルーム
２  ユニットルーム本体
３  ベッドモジュール
４  パネル
５  間仕切りパネル
６  第一ユニットルーム空間
７  第二ユニットルーム空間
８  コーナー型材
９  寝具
１０  ドア
１１  設置先の床
１２  板材
１３  ハニカムコア材
１４  パネル枠材
１５、１６  チャンネル材
１７  型材
１８  机
１８ａ  椅子
１９、２２  スイッチプレート
２０  ブラケット
２１  ナイトランプ
２３  第一のハニカムパネル
２４  第二のハニカムパネル
２５  フレーム
２５ａ  角筒
２６  遮音手段
２７  ヘッドボード
２８  ベッドホルダー
２９  手すり
３０  階段
３１  コートハンガーフック
３２  バゲージラック
３３、３５  第一空間
３４、３６  第二空間
３５ａ  バゲージ空間
３７  突出部
４１  宿泊施設
４２  室内
４３  通路
５１  室内
５２  通路
６１  室内
６２  テント
６３  仮設施設
６４  住宅
７１、７４  床パネル
７３  コロ
７６  窓
７７  ソーラーパネル
８１〜８３  ユニットルーム
【図１】
2004316218.tif 000003
【図２】
2004316218.tif 000004
【図３】
2004316218.tif 000005
【図４】
2004316218.tif 000006
【図５】
2004316218.tif 000007
【図６】
2004316218.tif 000008
【図７】
2004316218.tif 000009
【図８】
2004316218.tif 000010
【図９】
2004316218.tif 000011
【図１０】
2004316218.tif 000012
【図１１】
2004316218.tif 000013
【図１２】
2004316218.tif 000014
【図１３】
2004316218.tif 000015
【図１４】
2004316218.tif 000016
【図１５】
2004316218.tif 000017
【図１６】
2004316218.tif 000018
【図１７】
2004316218.tif 000019
【図１８】
2004316218.tif 000020
【図１９】
2004316218.tif 000021
【図２０】
2004316218.tif 000022
【図２１】
2004316218.tif 000023
【図２２】
2004316218.tif 000024